(57)【要約】【課題】回転ドラム式ゴミ貯留装置の臭気漏れ防止に関する構造を提供する。【解決手段】回転する円筒形ドラム（１）の装置全体を気密な外部筐体（１３）の中にいれて臭気を内部に封じ込め，円筒形ドラム（１）の前面のみを開放した片口ドラム構造にして臭気漏れ個所を削減し，円筒形ドラム（１）に対する摺動又は遥動するシール部分を一切なくしたことを特徴とする。【選択図】　　図１
2004123370.tif 000002
【特許請求の範囲】
【請求項１】
横置きの円筒形ドラム（１）の内面円周上に螺旋状羽根板（２）を設け，円筒形ドラム（１）の前端（３）を開放し，後端（４）を後鏡板（５）で閉鎖し，後鏡板（５）の外側の中心に設けた後部回転軸（６）を軸受台（７）によって回転自在に支持し，円筒形ドラム（１）の前方下部をローラ支持台（８）によって回転自在に支持し，後部回転軸（６）を回転軸スプロケット（９），チェーン（１０）及びモータ軸スプロケット（１１）を介して回転モータ（１２）に連結し，後部回転軸（６），軸受台（７），ローラ支持台（８），回転軸スプロケット（９），チェーン（１０），モータ軸スプロケット（１１），回転モータ（１２）及び円筒形ドラム（１）を前端が開放された気密な外部筐体（１３）の内部に設け，外部筐体（１３）の前端面に開閉扉（１５）を気密に設けたことを特徴とする片口ドラム式ゴミ貯留装置。
【請求項２】
円筒形ドラム（１）の後部回転軸（６）が外部筐体（１３）の後面壁（１５）を貫通し，外部筐体（１３）の外側に後部回転軸（６），軸受台（７），回転軸スプロケット（９），チェーン（１０），モータ軸スプロケット（１１），回転モータ（１２）を設け，貫通部（１６）に密封装置（１７）を有していることを特徴とする請求項１に記載の片口ドラム式ゴミ貯留装置。
【発明の詳細な説明】
【０００１】
【発明の属する技術分野】
塵芥を投入，貯蔵，排出する回転ドラム式ゴミ貯留装置の臭気漏れ防止に関するものである。
【０００２】
【従来の技術】
従来の回転ドラム式ゴミ貯留装置の概要を図４に示す。従来の回転ドラム式ゴミ貯留装置は，内部に螺旋状羽根（４１）を有する回転ドラム（４２）の前方に前部固定枠部（４３）を設け，前部固定枠部（４３）と回転ドラム（４２）の間に前面シール材（４４）を介在させ，ドラム後面壁（４５）上に後面シール材（４６）を介して押し付けられて回転する回転蓋（４７）を設け，回転蓋（４７）を後部固定枠（４８）に支持させ，前部固定枠部（４３）に設けた投入口（４９）より投入された塵芥が回転する螺旋状羽根（４１）によってドラム内の後部に貯蔵され，排出するときは回転蓋（４７）を開いて回転ドラム（４２）を回転させ螺旋状羽根（４１）によって排出する方式であった。
【０００３】
【発明が解決しようとする課題】
従来の回転ドラム式ゴミ貯留装置には前部固定枠部（４３）と回転ドラム（４２）の間の前面シール材（４４），およびドラム後面壁（４５）と回転蓋（４７）との間の後面シール材（４６）より臭気が漏れるという問題があった。
前面シール材（４４）の漏れについては，とくにシール面が摺動するので，取付けや製造誤差により摺動面の間隙調整が難しいことや，摺動磨耗による隙間の増大などが原因となった。
また後面シール材（４６）の漏れについては，遥動し回転する回転蓋（４７）を固定的に押さえる困難さからシール面の平面度や平行度の不良に起因するものが多かった。本発明は以上の課題を解決するためのものである。
【０００４】
【課題を解決するための手段】
以上のような課題を解決するために次のような手段を提供する。
（ａ）回転ドラムの装置全体を気密な外部筐体の中にいれ，外部筐体の前面に気密な開閉扉を設け，臭気を外部筐体の内部に封じ込める。
（ｂ）回転ドラムの後面を閉鎖して前面のみを開放した片口構造にし，回転ドラムを正回転させながら前面から投入し，逆回転させながら前面から排出する構造にし，シール部分をなくし，塵芥の投入および排出時のみ開閉扉を開閉する。
請求項１は，上記の内容により構成される。すなわち，
横置きの円筒形ドラム（１）の内面円周上に螺旋状羽根板（２）を設け，円筒形ドラム（１）の前端（３）を開放し，後端（４）を後鏡板（５）で閉鎖して片口のドラム構造にする。
後鏡板（５）の外側の中心に設けた後部回転軸（６）を軸受台（７）によって回転自在に支持し，円筒形ドラム（１）の前方下部をローラ支持台（８）によって回転自在に支持し，後部回転軸（６）を回転軸スプロケット（９），チェーン（１０）及びモータ軸スプロケット（１１）を介して回転モータ（１２）に連結し，後部回転軸（６），軸受台（７），ローラ支持台（８），回転軸スプロケット（９），チェーン（１０），モータ軸スプロケット（１１），回転モータ（１２）及び円筒形ドラム（１）を前端が開放された気密な外部筐体（１３）の内部に設ける。
円筒形ドラム（１）の前端が面する外部筐体（１３）の前端に開閉扉（１４）を気密に設ける。
請求項２は，外部筐体（１３）の内部を断熱構造にした場合，後部回転軸（６）および回転装置部分を外部筐体（１３）の外側に出す手段を提供する。すなわち，
円筒形ドラム（１）の後部回転軸（６）が外部筐体（１３）の後面壁（１５）を貫通し，外部筐体（１３）の外側に後部回転軸（６），軸受台（７），回転軸スプロケット（９），チェーン（１０），モータ軸スプロケット（１１），回転モータ（１２）を設け，貫通部（１６）に密封装置（１７）を有していることを特徴とする請求項１に記載の片口ドラム式ゴミ貯留装置。
【０００５】
【発明の実施の形態】
本発明の実施例を図によって以下に説明する。図１は請求項１に示す片口ドラム式ゴミ貯留装置の断面側面図を示す。
横置きの円筒形ドラム（１）の内面円周上に右巻き雌ネジ状に成形された螺旋状羽根板（２）を一定の高さに設ける。円筒形ドラム（１）の前端（３）を開放し，後端（４）を後鏡板（５）で閉鎖して片方の前方端末のみが開放された片口ドラム構造にする。後鏡板（５）の外側の中心に後部回転軸（６）を設け，軸受台（７）によって回転自在に支持する。
図２は図１のＡ−Ａ断面矢視図をしめしているが，円筒形ドラム（１）の前方下部を２個のローラ支持台（８）によって回転自在に支持する。ローラ支持台（８）には円筒形ドラム（１）の外面円周上に接触したローラ（１８）を回転自在に取付ける。
後部回転軸（６）に回転軸スプロケット（９）を設ける。外部筐体（１３）の内部床面上に設けた回転モータ（１２）にモータ軸スプロケット（１１）を取付け，チェーン（１０）によって，回転軸スプロケット（９）とモータ軸スプロケット（１１）を連結する。
以上のように構成した後部回転軸（６），軸受台（７），ローラ支持台（８），回転軸スプロケット（９），チェーン（１０），モータ軸スプロケット（１１），回転モータ（１２）及び円筒形ドラム（１）を前端が開放された気密な外部筐体（１３）の内部に設ける。さらに円筒形ドラム（１）の前端が面する外部筐体（１３）の前端に開閉扉（１４）を設ける。開閉扉（１４）の上部には回転ヒンジ（１９）を設け，下部把手（２０）によって上方へ開閉することができる。開閉扉（１４）が接する外部筐体（１３）の前端面には固定シール材（２１）を設け，開閉扉（１４）の閉鎖時には，外部筐体（１３）の内部を気密にすることができる。また，外部筐体（１３）の下部には作業に便利なように基礎台（２２）を固定する。
以上のような構造において，塵芥の投入，貯蔵，排出作業はつぎのように行われる。
塵芥を投入するときには，下部把手（２０）によって開閉扉（１４）を上方へ開き，回転モータ（１２）によってモータ軸スプロケット（１１），チェーン（１０），回転軸スプロケット（９）及び後部回転軸（６）を経由して円筒形ドラム（１）を回転させ，円筒形ドラム（１）の内部に塵芥を投入する。
このとき円筒形ドラム（１）を前端からみて左回転（正回転）させると，円筒形ドラム（１）の内面円周上に右巻き雌ネジ状に成形された螺旋状羽根板（２）は投入された塵芥を回動させながら円筒形ドラム（１）の内部後方へ送り込む。投入作業が完了したら，円筒形ドラム（１）の回転を停止し，開閉扉（１４）を気密に閉鎖する。投入作業は上記の要領で円筒形ドラム（１）内が満量になるまで間欠的に行われ，その間，塵芥は円筒形ドラム（１）内に気密に貯蔵される。円筒形ドラム（１）内が塵芥で満量になると，塵芥は円筒形ドラム（１）内より排出され，塵芥収集車によって回収される。
このときまず下部把手（２０）によって開閉扉（１４）を上方へ開き，円筒形ドラム（１）を前端からみて右回転（逆回転）させると，円筒形ドラム（１）の内面円周上に右巻き雌ネジ状に成形された螺旋状羽根板（２）は貯蔵された塵芥を回動させながら円筒形ドラム（１）の内部前方へ送り出し，塵芥収集車に向けて排出する。排出作業が完了したら，円筒形ドラム（１）の回転を停止し，開閉扉（１４）を気密に閉鎖する。
以上のような作業を通じて，開閉扉（１４）は投入作業及び排出作業中にのみ開放され塵芥の臭気は外部筐体（１３）の外に漏れるが，貯蔵中は外部筐体（１３）の内部を気密に保持することができるので臭気は外部筐体（１３）の外部に漏れることはない。開閉扉（１４）が接する外部筐体（１３）の前端面には固定シール材（２１）を設けているが，固定的なシール構造であるので，外部筐体（１３）の内部を完全に気密状態を保持することが極めて容易である。
請求項２は，外部筐体（１３）の内部を断熱構造にした場合の手段を提供する。
塵芥類の中でとくに生ゴミは水分が多いので，円筒形ドラム（１）内に熱風を送り込んで水分を蒸発乾燥させて回収時の運搬重量を軽減させるなどの方法をとる場合がある。また微生物製剤を円筒形ドラム（１）内に投入して温風を送り込み好気発酵させて生ゴミを減量させる方法をとる場合もある。このような場合には外部筐体（１３）の内面に断熱材を貼って断熱構造にする。外部筐体（１３）内部は気密なので高温状態に維持することができる。この場合に回転モータ，とくに電動モータは熱に弱いために外部筐体（１３）の内部には設置できない。そこで後部回転軸（６）および回転装置部分を外部筐体（１３）の外側に出すようにすれば保守整備が容易になる。
図３は請求項２に示す片口ドラム式ゴミ貯留装置の断面側面図を示す。
円筒形ドラム（１）の後部回転軸（６）が外部筐体（１３）の後面壁（１５）を貫通するように構成し，貫通部（１６）には外部筐体（１３）の内部が気密になるように，例えばゴム製仕切板のような密封装置（１７）を設ける。
外部筐体（１３）の外側に突出した後部回転軸（６）は軸受台（７）で支持される。後部回転軸（６）の突端部には回転軸スプロケット（９）が設けられ，チェーン（１０），およびモータ軸スプロケット（１１）を介して回転モータ（１２）に連結される。以上のように構成すれば，回転装置部分，すなわち後部回転軸（６），軸受台（７），回転軸スプロケット（９），チェーン（１０），モータ軸スプロケット（１１），回転モータ（１２）はすべて外部筐体（１３）の外側に位置するため外部筐体（１３）内部の熱の影響を受けることはない。
請求項２に示す構造における塵芥の投入，貯蔵，排出作業は請求項１で説明したものと同じ要領で行われる。
【０００６】
【発明の効果】
従来の回転ドラム式ゴミ貯留装置における前面シール材，および後面シール材からの臭気漏れの問題については，シール面が摺動し遥動し回転するので，取付けや製造誤差により摺動面や押さえ面の平面度や平行度を維持し間隙調整をすることが難しいことに起因していた。
これに対して本発明の特徴は，回転ドラムの装置全体を気密な外部筐体の中にいれ，外部筐体の前面に気密な開閉扉を設け，臭気を外部筐体の内部に封じ込め，さらに回転ドラムの後面を閉鎖して前面のみを開放した片口ドラム構造にして臭気が漏れる個所を削減し，回転ドラムに対するシール部分を一切なくした点にある。このようにすれば，臭気は開閉扉からのみ漏洩することになり，投入及び排出作業中には開閉扉が開放されるので臭気は外部筐体（１３）の外に漏れるが，長い貯蔵期間中では，外部筐体（１３）の内部は固定シール材（２１）により気密に保持されるので，臭気は外部に漏れることはない。
以上のように本発明は回転ドラム式ゴミ貯留装置の臭気漏れ問題に対して，非常に有効で経済的な構造を可能にするものであり，産業と経済の発展ばかりでなく，環境汚染の問題にも大きく寄与するものである。
【図面の簡単な説明】
【図１】本発明の請求項１に示す片口ドラム式ゴミ貯留装置の断面側面図を示す。
【図２】図１のＡ−Ａ断面矢視図を示す。
【図３】本発明の請求項２に示す片口ドラム式ゴミ貯留装置の断面側面図を示す。
【図４】従来の回転ドラム式ゴミ貯留装置の概要図を示す
【符号の説明】
１　　円筒形ドラム
２　　螺旋状羽根板
３　　前端
４　　後端
５　　後鏡板
６　　後部回転軸
７　　軸受台
８　　ローラ支持台
９　　回転軸スプロケット
１０　　チェーン
１１　　モータ軸スプロケット
１２　　回転モータ
１３　　外部筐体
１４　　開閉扉
１５　　後面壁
１６　　貫通部
１７　　密封装置
【図１】
2004123370.tif 000003
【図２】
2004123370.tif 000004
【図３】
2004123370.tif 000005
【図４】
2004123370.tif 000006